(57)【要約】  【課題】冷蔵庫などに使用できる断熱性能に優れたガスケットを提供する。  【解決手段】ガスケット１０１は塩化ビニル製であり、空洞室１０２とマグネット室１０３を備えている。マグネット室１０３内にはマグネット１０４を配置している。空洞室１０２の壁面には切り込みがあり、そこに断熱材１０５の一部が挿入されている。空洞室１０２の下部には、先端がくさび状の差込部１０６を備えている。キャビネット１０７の壁面は、鋼板製の外箱１０８とＡＢＳ製の内箱１０９の間に発泡ウレタン断熱材１１０を充填して形成されている。なお、発泡ウレタン断熱材１１０を薄肉化する場合には、真空断熱材を埋設するとよい。ドア１１１の周縁部には、差込部１０６を挿入してガスケット１０１をドア１１１に固定する取付け溝１１２が設けられている。これにより、ガスケット１０１の空洞室１０２壁面と、その外側の空気との熱交換量を抑制できる。【選択図】図１
2009109053.tif 000002
【特許請求の範囲】
【請求項１】
空洞室と、前記空洞室上部にマグネット室を備え、前記空洞室壁面の外側の空気と接する面に断熱材を備えたことを特徴とするガスケット。
【請求項２】
空洞室壁面の外側の空気と接する面のうち、空気の熱伝達率が高い側に断熱材を備えたことを特徴とする請求項１に記載のガスケット。
【請求項３】
空洞室壁面の一部に切り込みを設け、前記切り込みに断熱材の一部を挿入したことを特徴とする請求項１または２に記載のガスケット。
【請求項４】
断熱材は、ガスバリア性樹脂箱内に芯材を充填して減圧密封した真空断熱材であることを特徴とする請求項１から３のいずれか一項に記載のガスケット。
【請求項５】
断熱材は、ガスバリア性フィルムからなる外被材内に、ガラス繊維積層体である芯材を挿入して減圧密封した真空断熱材であることを特徴とする請求項１から３のいずれか一項に記載のガスケット。
【発明の詳細な説明】
【技術分野】
【０００１】
本発明は、冷蔵庫、ショーケースなどに使用されるガスケットに関するものである。
【背景技術】
【０００２】
近年、冷蔵庫、自動販売機などの冷凍冷蔵機器やジャーポットなどの温熱機器に対する消費エネルギー削減の要求は強くなり、断熱設計への取組みが盛んに行われている。冷蔵庫を例にとると、所定の冷蔵または冷凍温度に冷却された庫内には、外部から壁面を介して侵入する熱は、断熱材の性能を向上することにより抑制できる。そのために、冷蔵庫壁面内にも一般的に使用されているウレタン発泡断熱材に対して約数十倍の断熱性能を有する真空断熱材が開発され、壁面からの浸入熱を大幅に低減した。
【０００３】
別の浸入熱としては、冷蔵庫前面のキャビネットとドアの隙間からの浸入する熱がある。そのため、ドアの周縁部にはガスケットを備えて隙間を塞ぐことによって浸入熱を低減している。また、ガスケットにはマグネットを埋設し、その磁力によってドアがキャビネットに引き寄せられてドアが閉まる仕組みになっているものがある。このとき、ガスケットに断熱空気層を設けることにより浸入熱量を低減する方法がある（例えば、特許文献１参照）。
【０００４】
図４は、従来の冷蔵庫用ガスケットの断面図である。本ガスケットは、空洞室１の下部室壁面を互いにオーバーラップする第１の切片２と、第２の切片３の２枚の切片で形成し、この２枚の切片を開くことにより軟質ウレタンフォーム４を空洞室１に挿入する。軟質ウレタンフォーム４の挿入は、まず、第１の切片２と第２の切片３を開き、その開口部から空洞室１に軟質ウレタンフォーム４を挿入する。このように作業は簡単であり、２枚の切片を有しない場合と比較して、生産性が大幅に向上でき、断熱性能に優れたガスケットを提供できる。
【特許文献１】特許第３１６４８３７号公報
【発明の開示】
【発明が解決しようとする課題】
【０００５】
しかしながら、上記従来の構成では、空洞室１内の断熱性能は向上できるが、ガスケットそのものの熱伝導により熱が高温側から低温側に浸入するという課題があった。
【０００６】
本発明は、断熱性能に優れたガスケットを提供することを目的とする。
【課題を解決するための手段】
【０００７】
上記目的を達成するために、本発明のガスケットは、空洞室と、空洞室上部にマグネット室を備え、空洞室壁面の外側の空気と接する面に断熱材を備えたのである。
【０００８】
これにより、ガスケットを介して高温側から低温側に伝熱する場合、空洞室内の空気の熱伝導および対流によって伝熱したものも、ガスケット自体を伝熱したものも、断熱材によって遮断される。また、マグネット室を備えていることから、ガスケットは磁力によって金属筐体に密着するので、空気が隙間から流出入することを抑制でき、ガスケットが間仕切りしている温度差のある空間の熱浸入を抑制できる。
【発明の効果】
【０００９】
本発明のガスケットによれば、空洞室と、空洞室上部にマグネット室を備え、空洞室壁面の外側の空気と接する面に断熱材を備えたものであり、開口部を有するキャビネットとその開口部を塞ぐドアで構成される断熱箱体などについて、ガスケットからの熱浸入を低減できる。このため、箱体内部を冷却あるいは加熱しても、その熱効率を向上させることができる。
【発明を実施するための最良の形態】
【００１０】
請求項１に記載のガスケットの発明は、空洞室と、空洞室上部にマグネット室を備え、空洞室壁面の外側の空気と接する面に断熱材を備えたものであり、ガスケットの空洞室壁面と、その外側の空気との熱交換量を抑制できる。また、マグネットを備えているので、その磁力によって金属筐体と密着するので、ガスケットと金属筐体の隙間を低減できることから、隙間を流出入する空気量を低減でき、ガスケットの断熱性能を向上できる。
【００１１】
請求項２に記載のガスケットの発明は、請求項１に記載の発明において、空洞室壁面の外側の空気と接する面のうち、空気の熱伝達率が高い側に断熱材を備えたものであり、ガスケットと空気の熱交換量が多い側に断熱材を設けているので、伝熱量を抑制できるので、ガスケットの断熱性能をさらに向上できる。
【００１２】
請求項３に記載のガスケットの発明は、請求項１または２に記載の発明において、空洞室壁面の一部に切り込みを設け、切り込みに断熱材の一部を挿入したものであり、空洞室の壁面面積を低減し断熱材を備えることができる。このため、空洞室壁面と断熱材の接触面積、つまり伝熱面積を低減できるので、ガスケットの断熱性能をさらに向上できる。
【００１３】
請求項４に記載のガスケットの発明は、請求項１から３のいずれか一項に記載の発明において、断熱材を、ガスバリア性樹脂箱内に芯材を充填して減圧密封した真空断熱材としたものであり、断熱材の断熱性能を向上することができ、断熱材を通過する伝熱量を抑制できるので、ガスケットの断熱性能をさらに向上できる。
【００１４】
請求項５に記載のガスケットの発明は、請求項１から３のいずれか一項に記載の発明において、断熱材を、ガスバリア性フィルムからなる外被材内に、ガラス繊維積層体である芯材を挿入して減圧密封した真空断熱材としたものであり、断熱材の断熱性能を向上することができ、断熱材を通過する伝熱量を抑制できるので、ガスケットの断熱性能をさらに向上できる。
【００１５】
以下、本発明の実施の形態について、図面を参照しながら説明する。また、この実施の形態によってこの発明が限定されるものではない。
【００１６】
（実施の形態１）
図１は本発明の実施の形態１におけるガスケットとその周辺部分を示す断面図である。図２は同実施の形態のガスケットにおけるガスバリア性樹脂箱内に粉体芯材を充填して減圧密封した真空断熱材の断面図である。図３は同実施の形態のガスケットにおけるガスバリア性外被材内にガラス繊維芯材を挿入して減圧密封した真空断熱材の断面図である。
【００１７】
図１に示すガスケット１０１は塩化ビニル製であり、空洞室１０２とマグネット室１０３を備えている。マグネット室１０３内にはマグネット１０４を配置している。空洞室１０２の壁面には切り込みがあり、そこに断熱材１０５の一部が挿入されている。空洞室１０２の下部には、先端がくさび状の差込部１０６を備えている。
【００１８】
キャビネット１０７の壁面は、鋼板製の外箱１０８とＡＢＳ製の内箱１０９の間に発泡ウレタン断熱材１１０を充填して形成されている。なお、発泡ウレタン断熱材１１０を薄肉化する場合には、真空断熱材を埋設するとよい。
【００１９】
ドア１１１の周縁部には、差込部１０６を挿入してガスケット１０１をドア１１１に固定する取付け溝１１２が設けられている。
【００２０】
図２に示すように、断熱材１０５は、ガスバリア性を有する樹脂箱１１３内に粉体芯材１１４を充填し、内部を１０Ｐａ以下に減圧して密封している。粉体芯材１１４は、１次粒子径が５〜２０ナノメーターの微粉体であり、充填時の空間率は９０％以上を有する。
【００２１】
図３に示すように、断熱材１０５は、ガスバリア性を有するラミネートフィルムで作製された外被材１１５内にガラス繊維を焼成してボード化した芯材１１６を充填し、内部を１０Ｐａ以下に減圧して密封してもよい。また、水分吸着材１１７を同封することにより、残存水分による影響を低減できる。
【００２２】
以上のように、空洞室１０２と、空洞室１０２上部にマグネット室１０３を備え、空洞室１０２壁面の外側の空気と接する面に断熱材１０５を備えたものであり、ガスケット１０１の空洞室１０２壁面と、その外側の空気との熱交換量を抑制できる。また、マグネット１０１を備えているので、その磁力によって金属筐体と密着するので、ガスケット１０１と金属筐体の隙間を低減できることから、隙間を流出入する空気量を低減できるので、ガスケット１０１の断熱性能を向上できる。
【産業上の利用可能性】
【００２３】
本発明にかかるガスケットは、ガスケットと空気が接する面に断熱材を有して伝熱量を抑制できる。このため、冷蔵庫やショーケースなどの断熱効果が向上し、電気エネルギーによって運転される各種保冷、保温機器の省エネができ、さらに住宅等の開閉部の断熱にも利用できる。
【図面の簡単な説明】
【００２４】
【図１】本発明の実施の形態１におけるガスケットとその周辺部分を示す断面図
【図２】同実施の形態のガスケットにおけるガスバリア性樹脂箱内に粉体芯材を充填して減圧密封した真空断熱材の断面図
【図３】同実施の形態のガスケットにおけるガスバリア性外被材内にガラス繊維芯材を挿入して減圧密封した真空断熱材の断面図
【図４】従来の冷蔵庫用ガスケットの断面図
【符号の説明】
【００２５】
１０１  ガスケット
１０２  空洞室
１０３  マグネット室
１０５  断熱材
１１３  ガスバリア性樹脂箱
１１４  芯材（粉体）
１１５  ガスバリア性外被材（ラミネートフィルム）
１１６  芯材（ガラス繊維）
【図１】
2009109053.tif 000003
【図２】
2009109053.tif 000004
【図３】
2009109053.tif 000005
【図４】
2009109053.tif 000006